(57)【要約】【課題】帯状ペーパを容易に繰り出すことができると共に、帯状ペーパの破断面を綺麗に切り取ることができるトイレットペーパを提供する。【解決手段】本トイレットペーパ１は、帯状ペーパ２の長手方向に沿って所定間隔毎に複数の切取り線３が形成されたロール状のトイレットペーパであって、前記切取り線は、前記帯状ペーパの横幅方向に対して傾斜する方向に直線状に延びている。前記切取り線は、その傾斜方向に沿って所定間隔毎に所定の図形をなす複数の切抜き部５を設けてなることが好ましい。【選択図】図１
0003140786.tif 000002
【実用新案登録請求の範囲】
【請求項１】
帯状ペーパの長手方向に沿って所定間隔毎に複数の切取り線が形成されたロール状のトイレットペーパにおいて、
前記切取り線は、前記帯状ペーパの横幅方向に対して傾斜する方向に直線状又は湾曲状に延びていることを特徴とするトイレットペーパ。
【請求項２】
前記切取り線は、その傾斜方向に沿って所定間隔毎に所定の図形をなす複数の切抜き部を設けてなる請求項１記載のトイレットペーパ。
【請求項３】
前記切取り線は、その傾斜方向に沿って所定間隔毎に設けられる所定の図形をなす複数の切抜き部と、該複数の切抜き部のうちの隣接する切抜き部を連絡するミシン目と、を有する請求項１記載のトイレットペーパ。
【請求項４】
前記切取り線は、ミシン目からなる請求項１記載のトイレットペーパ。
【請求項５】
前記複数の切抜き部のうちの前記帯状ペーパの側縁側に設けられる切抜き部は、該帯状ペーパの横方に切欠かれている請求項２又は３に記載のトイレットペーパ。
【請求項６】
前記切抜き部は、前記切取り線の切取り方向を示す所定の図形をなしている請求項２又は３に記載のトイレットペーパ。
【請求項７】
前記帯状ペーパの横幅は９０〜１２０ｍｍであり、前記切取り線は、該帯状ペーパの横幅方向に対して１〜４５度で傾斜している請求項１乃至６のいずれか一項に記載のトイレットペーパ。
【請求項８】
前記切取り線の傾斜角度は１０〜２０度である請求項７記載のトイレットペーパ。
【請求項９】
前記所定の図形は、ひし形、長方形、矢印形、ハート形、星形、キャラクタ形状、乗物形状又は生物形状である請求項１乃至８のいずれか一項に記載のトイレットペーパ。
【請求項１０】
前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜している請求項２記載のトイレットペーパ。
【請求項１１】
前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状である請求項２記載のトイレットペーパ。
【請求項１２】
前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜している請求項３記載のトイレットペーパ。
【請求項１３】
前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状である請求項３記載のトイレットペーパ。
【請求項１４】
前記帯状ペーパには前記切取り線を表示する着色部が該切取り線の周囲に設けられている請求項１乃至１３のいずれか一項に記載のトイレットペーパ。
【請求項１５】
前記着色部は、前記切取り線を含むように設けられる帯状着色部である請求項１４記載のトイレットペーパ。
【請求項１６】
前記着色部は、前記切取り線の下側及び／又は上側に該切取り線に平行に設けられるドット状着色部である請求項１４記載のトイレットペーパ。
【請求項１７】
前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記帯状ペーパには前記切取り線を表示する着色部が該切取り線の周囲に設けられている請求項２記載のトイレットペーパ。
【請求項１８】
前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状であり、
前記帯状ペーパには前記切取り線を表示する着色部が該切取り線の周囲に設けられている請求項２記載のトイレットペーパ。
【請求項１９】
前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記帯状ペーパには前記切取り線を表示する着色部が該切取り線の周囲に設けられている請求項３記載のトイレットペーパ。
【請求項２０】
前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状であり、
前記帯状ペーパには前記切取り線を表示する着色部が該切取り線の周囲に設けられている請求項３記載のトイレットペーパ。
【考案の詳細な説明】
【技術分野】
【０００１】
本考案は、トイレットペーパに関し、更に詳しくは、帯状ペーパを容易に繰り出すことができると共に、帯状ペーパの破断面を綺麗に切り取ることができるトイレットペーパに関する。
【背景技術】
【０００２】
従来より、ロール状のトイレットペーパ１Ａとして、例えば、図１５に示すように、帯状ペーパ２Ａの長手方向に所定間隔毎に複数の切取り線３Ａが形成されたものが一般に知られている。このトイレットペーパ１Ａは、通常、ペーパホルダに回転自在に支持された状態で使用され、そのトイレットペーパ１Ａから帯状ペーパ２Ａの必要長さ分だけを繰り出して切取り線３Ａで破断して切り取られることとなる。
【０００３】
しかし、従来のトイレットペーパ１Ａでは、切取り線３Ａが帯状ペーパ２Ａの長手方向に直交する方向に延びて形成されているので、帯状ペーパ２Ａの切取り後にその切取り縁がペーパホルダのカバー２０Ａに隠れてしまい、次の人が帯状ペーパ２Ａを繰り出し難くなってしまう場合がある。また、次の人が使い易いように帯状ペーパ２Ａの切取り縁側を三角折りする習慣があるが、この三角折りは衛生的ではない。
そこで、上記問題を解決するために、Ｖ字状や段差状の切取り線を備え、帯状ペーパの切取り後にその切取り縁の一部をペーパホルダのカバーからつまみ代として露出させ得るトイレットペーパが提案されている（例えば、特許文献１及び２参照）。しかし、これらの提案技術では、切取り線に屈曲部位が存在しており、帯状ペーパを切り取る際に、切取り線に沿ってせん断力が好適に伝わらず切取り縁の破断面が乱れ見た目を損ねてしまう恐れがある。さらに、トイレットペーパの加工面で複雑となる問題もある。
【０００４】
また、従来のトイレットペーパ１Ａでは、切取り線３Ａが点線状のミシン目から構成されているので、切取り線３Ａを認識しづらく、帯状ペーパ２Ａを切取り線３Ａ以外の位置で無理に切り取ってしまい、切取り縁の破断面が乱れ見た目を損ねてしまう恐れがある。
【０００５】
【特許文献１】実開昭５８−７３１９１号公報
【特許文献２】実開平０２−１０９４８６号公報
【考案の開示】
【考案が解決しようとする課題】
【０００６】
本考案は、上記現状に鑑みてなされたものであり、帯状ペーパを容易に繰り出すことができると共に、帯状ペーパの破断面を綺麗に切り取ることができる加工性に優れたトイレットペーパを提供することを目的とする。
【課題を解決するための手段】
【０００７】
本発明者は、ペーパホルダのカバーと平行な位相に任意の適切な角度を与えて切取り線を構成することによって、極めて容易につまみ代を出現させ得ることを知見し、本発明を完成させるに至った。
【０００８】
本考案は、以下の通りである。
１．帯状ペーパの長手方向に沿って所定間隔毎に複数の切取り線が形成されたロール状のトイレットペーパにおいて、
前記切取り線は、前記帯状ペーパの横幅方向に対して傾斜する方向に直線状又は湾曲状に延びていることを特徴とするトイレットペーパ。
２．前記切取り線は、その傾斜方向に沿って所定間隔毎に所定の図形をなす複数の切抜き部を設けてなる上記１．記載のトイレットペーパ。
３．前記切取り線は、その傾斜方向に沿って所定間隔毎に設けられる所定の図形をなす複数の切抜き部と、該複数の切抜き部のうちの隣接する切抜き部を連絡するミシン目と、を有する上記１．記載のトイレットペーパ。
４．前記切取り線は、ミシン目からなる上記１．記載のトイレットペーパ。
５．前記複数の切抜き部のうちの前記帯状ペーパの側縁側に設けられる切抜き部は、該帯状ペーパの横方に切欠かれている上記２．又は３．に記載のトイレットペーパ。
６．前記切抜き部は、前記切取り線の切取り方向を示す所定の図形をなしている上記２．又は３．に記載のトイレットペーパ。
７．前記帯状ペーパの横幅は９０〜１２０ｍｍであり、前記切取り線は、該帯状ペーパの横幅方向に対して１〜４５度で傾斜している上記１．乃至６．のいずれか一項に記載のトイレットペーパ。
８．前記切取り線の傾斜角度は１０〜２０度である上記７．記載のトイレットペーパ。
９．前記所定の図形は、ひし形、長方形、矢印形、ハート形、星形、キャラクタ形状、乗物形状又は生物形状である上記１．乃至８．のいずれか一項に記載のトイレットペーパ。
１０．前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜している上記２．記載のトイレットペーパ。
１１．前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状である上記２．記載のトイレットペーパ。
１２．前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜している上記３．記載のトイレットペーパ。
１３．前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状である上記３．記載のトイレットペーパ。
１４．前記帯状ペーパには前記切取り線を表示する着色部が該切取り線の周囲に設けられている上記１．乃至１３．のいずれか一項に記載のトイレットペーパ。
１５．前記着色部は、前記切取り線を含むように設けられる帯状着色部である上記１４．記載のトイレットペーパ。
１６．前記着色部は、前記切取り線の下側及び／又は上側に該切取り線に平行に設けられるドット状着色部である上記１４．記載のトイレットペーパ。
１７．前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記帯状ペーパには前記切取り線を表示する着色部が該切取り線の周囲に設けられている上記２．記載のトイレットペーパ。
１８．前記複数の切抜き部のうちの前記帯状ペーパの側縁側に設けられる切抜き部は、該帯状ペーパの横方に切欠かれており、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状であり、
前記帯状ペーパには前記切取り線を表示する着色部が該切取り線の周囲に設けられている上記２．記載のトイレットペーパ。
１９．前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記帯状ペーパには前記切取り線を表示する着色部が該切取り線の周囲に設けられている上記３．記載のトイレットペーパ。
２０．前記切取り線は、前記複数の切抜き部のうちの前記帯状ペーパの側縁側に設けられる切抜き部と該帯状ペーパの側縁端とを連絡するミシン目をさらに有し、
前記切抜き部は、前記切取り線の切取り方向を示す所定の図形をなしており、
前記帯状ペーパの横幅は９０〜１２０ｍｍであり、前記切取り線は、該帯状ペーパの横幅方向に対して１０〜２０度で傾斜しており、
前記所定の図形は、矢印形、横向きハート形、キャラクタ形状、乗物形状又は生物形状であり、
前記帯状ペーパには前記切取り線を表示する着色部が該切取り線の周囲に設けられている上記３．記載のトイレットペーパ。
【考案の効果】
【０００９】
本考案のトイレットペーパによると、前記切取り線が、前記帯状ペーパの横幅方向に対して傾斜する方向に直線状又は湾曲状に延びているので、帯状ペーパの切取り後にその切取り縁の一部がペーパホルダのカバーからつまみ代として露出して残り、そのつまみ代を摘むことにより帯状ペーパを容易に繰り出すことができる。また、帯状ペーパを切り取る際に、切取り線に沿ってせん断力が伝わり易く切取り縁の破断面を綺麗に切り取ることができる。また、加工性に優れたトイレットペーパを提供することができる。
また、前記切取り線が、その傾斜方向に沿って所定間隔毎に所定の図形をなす複数の切抜き部を設けてなる場合は、切取り線が目立ち認識し易いものとなっており、帯状ペーパを切取り線の位置で確実に切り取ることができる。また、興趣に富んだトイレットペーパを提供することができる。
また、前記切取り線が、その傾斜方向に沿って所定間隔毎に設けられる所定の図形をなす複数の切抜き部と、該複数の切抜き部のうちの隣接する切抜き部を連絡するミシン目と、を有する場合は、隣接する切抜き部の間隔を比較的大きな値に設定できるので、帯状ペーパの強度を高めてより加工性に優れたトイレットペーパを提供できる。
また、前記切取り線がミシン目からなる場合は、さらに加工性を高めることができる。
また、前記複数の切抜き部のうちの前記帯状ペーパの側縁側に設けられる切抜き部が、該帯状ペーパの横方に切欠かれている場合は、帯状ペーパの切取り始めに、切欠き状の切抜き部から切取り線に沿ってせん断応力が更に伝わり易く、帯状ペーパをさらに綺麗に切り取ることができる。
また、前記切抜き部が、前記切取り線の切取り方向を示す所定の図形をなしている場合は、切取り方向を間違えることなく帯状ペーパを切り取ることができる。
また、前記帯状ペーパの横幅が９０〜１２０ｍｍであり、前記切取り線が、該帯状ペーパの横幅方向に対して１〜４５度で傾斜している場合は、ペーパホルダのカバーからつまみ代を容易に露出させ得る。
また、前記切取り線の傾斜角度が１０〜２０度である場合は、ペーパホルダのカバーから露出するつまみ代を更に摘み易い適当な長さ（例えば、１５〜４３ｍｍ等）とすることができる。
また、前記所定の図形が、ひし形、長方形、矢印形、ハート形、星形、キャラクタ形状、乗物形状又は生物形状である場合は、さらに興趣に富んだトイレットペーパを提供することができる。
また、前記帯状ペーパに前記切取り線を表示する着色部が該切取り線の周囲に設けられている場合は、切取り線が更に目立ち認識し易いものとなり、帯状ペーパをより綺麗に切り取ることができる。
また、前記着色部が、前記切取り線を含むように設けられる帯状着色部である場合は、切取り線をより目立たせることができる。
さらに、前記着色部が、前記切取り線の下側及び／又は上側に該切取り線に平行に設けられるドット状着色部である場合は、切取り線をより目立たせることができる。
【考案を実施するための最良の形態】
【００１０】
１．トイレットペーパ
本考案に係るトイレットペーパは、帯状ペーパの長手方向に沿って所定間隔毎に複数の切取り線が形成されたロール状のトイレットペーパである。
なお、上記トイレットペーパとしては、例えば、１枚の帯状ペーパを巻いてなるシングル巻き、２枚の帯状ペーパを巻いてなるダブル巻き等を挙げることができる。また、上記トイレットペーパとしては、例えば、芯ありタイプ、芯なしタイプ等を挙げることができる。
【００１１】
上記「帯状ペーパ」の原料としては、木材から直接得られるパルプ、古紙、パルプと古紙との混合物等を挙げることができる。また、帯状ペーパの白色度としては、例えば、古紙製品で７０〜８０％、パルプ製品で８０〜８６％等を挙げることができる。
上記帯状ペーパの横幅の大きさは特に問わないが、通常、９０〜１２０ｍｍとなっている。
上記帯状ペーパには、例えば、切取り線を表示する着色部が切取り線の周囲に設けられていることができる。この着色部は、通常、帯状ペーパと異なる色を有している。また、この着色部としては、例えば、（１）切取り線を含むように設けられる帯状着色部（図１１参照）、（２）切取り線の下側及び／又は上側に該切取り線に平行に設けられるドット状着色部（図１２参照）等を挙げることができる。
【００１２】
上記「切取り線」は、帯状ペーパの横幅方向に対して傾斜する方向に直線状又は湾曲状に延びている。
上記切取り線としては、例えば、（Ａ）切取り線の傾斜方向に沿って所定間隔毎に所定の図形をなす複数の切抜き部を設けてなる形態、（Ｂ）切取り線の傾斜方向に沿って所定間隔毎に所定の図形をなす複数の切抜き部と、これら複数の切抜き部のうちの隣接する切抜き部を連絡するミシン目と、を有する形態、（Ｃ）ミシン目からなる形態等を挙げることができる。
【００１３】
上記（Ａ）〜（Ｃ）形態において、上記切取り線の傾斜角度ａ（図２参照）は、ペーパホルダのカバーからつまみ代を露出させ得る限り特に問わないが、その傾斜角度ａが１〜４５度（特に１０〜２０度）であることが好ましい。
また、上記（Ａ）〜（Ｃ）形態において、例えば、上記帯状ペーパの横幅が９０〜１２０ｍｍであり、上記切取り線が、帯状ペーパの横幅方向に対して１０〜２０度で傾斜していることができる。この場合、帯状ペーパにおいてペーパホルダのカバーから露出するつまみ代の露出長さｂ（図３参照）が約１５〜４３ｍｍ（好ましくは２０〜３０ｍｍ）といった適当な長さとなる。
【００１４】
上記（Ａ）（Ｂ）形態において、上記「切抜き部」の形状、大きさ、配設個数等は特に問わない。また、複数の切抜き部は、全てが同一の図形をなしていてもよいし、全て又は一部が異なる図形をなしていてもよい。
上記切抜き部を構成する所定の図形としては、例えば、ひし形、長方形、矢印形、ハート形、星形、キャラクタ形状、乗物形状（例えば、飛行機、自動車、鉄道、船舶等）、生物形状（例えば、魚、蛙等の動物、草、木等の植物等）などを挙げることができる。
上記複数の切抜き部のうちの帯状ペーパの側縁側に設けられる切抜き部は、例えば、帯状ペーパの横方に切欠かれていることができる。
上記複数の切抜き部のうちの帯状ペーパの側縁側に設けられる切抜き部は、例えば、帯状ペーパの側縁端より内側寄りの位置に配設されていることができる。これにより、帯状ペーパに適当な強度を与えて加工性をより向上させ得る。
上記切抜き部は、例えば、切取り線の切取り方向ｃを示す所定の図形をなしていることができる（図５等参照）。この場合、上記切抜き部を構成する所定の図形としては、例えば、矢印形、横向きハート形、キャラクタ形状、乗物形状（例えば、飛行機、自動車、鉄道、船舶等）、生物形状（例えば、人、魚、蛙などの動物、草、木などの植物等）などを挙げることができる。
【００１５】
上記（Ｂ）形態において、上記切取り線は、例えば、複数の切抜き部のうちの帯状ペーパの側縁側に設けられる切抜き部と帯状ペーパの側縁端とを連絡するミシン目をさらに有することができる。
【００１６】
上記（Ｃ）形態において、上記ミシン目は、例えば、ノコ歯形状であることができる。
【実施例】
【００１７】
以下、図面に基づいて実施例により本考案を具体的に説明する。
【００１８】
（１）トイレットペーパの構成
本実施例に係るトイレットペーパ１は、図１及び２に示すように、その横幅が約１１５ｍｍの帯状ペーパ２をロール状に巻き回して構成されている。この帯状ペーパ２の長手方向に沿って所定間隔毎に複数の切取り線３が形成されている。これら各切取り線３は、帯状ペーパ２の横幅方向に対して約１５度で傾斜する方向ｃに直線状に延びている。また、各切取り線３は、その傾斜方向ｃに沿って所定間隔毎にひし形をなす複数（図中５個）の切抜き部５を設けてなされている。これら複数の切抜き部５のうちの帯状ペーパ２の両側縁側に設けられる切抜き部５ａは帯状ペーパ２の横方に切欠かれている。
なお、上記トイレットペーパ１の製造過程において、切抜き部５を形成する際に発生する切抜き屑は回収して再利用される。
【００１９】
（２）トイレットペーパの作用
次に、上記構成のトイレットペーパ１の作用について説明する。なお、トイレットペーパ１は、図示しないペーパホルダに回転自在に支持された状態で使用される。
図１に示すように、トイレットペーパ１から必要長さ分の帯状ペーパ２を繰り出して切取り線３で切取り方向ｃ（図２参照）に向かって切り取る。この帯状ペーパ２の切取り始めにおいて、切欠き状の切抜き部５ａから切取り線３に沿って各切抜き部５にせん断応力が順次伝わり、帯状ペーパ２が切取り線３の位置で切り取られる。すると、図３に示すように、帯状ペーパ２の切取り後にその切取り縁の一部（図中で左側部分）がペーパホルダのカバー２０からつまみ代７として露出して残り、そのつまみ代７を摘んで帯状ペーパ２が繰り出される。なお、つまみ代７の露出長さｂは約３０ｍｍとなっている。
【００２０】
（３）実施例の効果
以上より、本実施例では、切取り線３を、帯状ペーパ２の横幅方向に対して傾斜する方向ｃに直線状に延ばしたので、帯状ペーパ２の切取り後にその切取り縁の一部がペーパホルダのカバー２０からつまみ代７として露出して残り、そのつまみ代７を摘むことにより帯状ペーパ２を容易に繰り出すことができる。また、帯状ペーパ２を切り取る際に、切取り線３に沿って各切抜き部５にせん断力が伝わり易く切取り縁の破断面を綺麗に切り取ることができる。さらに、加工性に優れたトイレットペーパ１を提供することができる。
なお、今後の高齢化社会では、引き出し易く且つ切取り易いトイレットペーパの需要が求められ、本トイレットペーパ１はこれに対応することができる。
【００２１】
また、本実施例では、切取り線３を、その傾斜方向ｃに沿って所定間隔毎にひし形をなす複数の切抜き部５を設けて構成したので、切取り線３が目立ち認識し易いものとなっており、帯状ペーパ２を切取り線３の位置で確実に切り取ることができる。さらに、興趣に富んだトイレットペーパ１を提供することができる。
【００２２】
また、本実施例では、複数の切抜き部５のうちの帯状ペーパ２の側縁側に設けられる切抜き部５を帯状ペーパ２の横方に向かって切欠くようにしたので、帯状ペーパ２の切取り始めに、その切欠き状の切抜き部５から切取り線３に沿って各切抜き部５にせん断応力が更に伝わり易く、帯状ペーパ２をより綺麗に切り取ることができる。
【００２３】
さらに、本実施例では、帯状ペーパ２の横幅を約１１５ｍｍに設定すると共に、切取り線３を、帯状ペーパ２の横幅方向に対して約１５度で傾斜するように設定したので、ペーパホルダのカバー２０から露出するつまみ代７の露出長さｂを約３０ｍｍといった摘み易い適当な長さとすることができる。
【００２４】
尚、本考案においては、上記実施例に限られず、目的、用途に基づいて本考案の範囲内で種々変更した実施例とすることができる。即ち、上記実施例では、ひし形をなす切抜き部５を例示したが、これに限定されず、例えば、長方形をなす切抜き部９（図４参照）としたり、矢印形をなす切抜き部１０（図５参照）としたり、ハート形をなす切抜き部１１（図６参照）としたり、魚形状をなす切抜き部１２（図７参照）としたりしてもよい。これらの場合であっても、上記実施例と略同様の作用効果を発揮することができる。特に、切取り線３の切取り方向ｃを示す矢印形、横向きハート形、魚形状をなす切抜き部１０，１１，１２を採用する場合には、切取り方向ｃを間違えることなく帯状ペーパ２を切り取ることができる。
【００２５】
また、上記実施例では、帯状ペーパ２の側縁側に設けられる切抜き部５ａを帯状ペーパ２の横方に切欠くようにした形態を例示したが、これに限定されず、例えば、図４に示すように、帯状ペーパの側縁側に設けられる切抜き部を、帯状ペーパの側縁端より内側寄りの位置に配設するようにしてもよい。この場合であっても、上記実施例と略同様の作用効果を発揮できることに加えて、帯状ペーパに適当な強度を与えて加工性をより向上させることができる。
【００２６】
また、上記実施例では、傾斜方向ｃに直線状に延びる切取り線３を例示したが、これに限定されず、例えば、図８に示すように、曲率の大きい曲線であり湾曲状に延びる切取り線３’としてもよい。この場合であっても、上記実施例と略同様の作用効果を発揮することができる。
【００２７】
また、上記実施例では、所定の図形をなす切抜き部５からなる切取り線３を例示したが、これに限定されず、例えば、図９に示すように、切取り線３を、傾斜方向ｃに直線状又は湾曲状に延びるミシン目１７から構成したり、傾斜方向ｃに直線状又は湾曲状に延びるノコ歯状のミシン目１８から構成したりしてもよい。
また、例えば、図１３に示すように、切取り線３を、その傾斜方向に沿って所定間隔毎に設けられる所定の図形をなす複数の切抜き部１０と、複数の切抜き部１０のうちの隣接する切抜き部１０を連絡するミシン目２２と、を有するものとしてもよい。この場合、帯状ペーパ２の切取り易さといった観点から、複数の切抜き部１０のうちの帯状ペーパ２の側縁側に設けられる切抜き部１０と帯状ペーパ１０の側縁端とを連絡するミシン目２３をさらに有することが好ましい。
【００２８】
また、上記実施例では、切取り線３を複数の切抜き部５から構成することにより、従来の点線状のミシン目に比べて切取り線３を目立たせているが、更に切取り線３を目立たせるために、例えば、図１１に示すように、帯状ペーパ２に切取り線３を表示する帯状着色部１３を設けたり、図１２に示すように、帯状ペーパ２に切取り線３を表示するドット状着色部１４を設けたりしてもよい。
【００２９】
さらに、上記実施例では、図１の左側につまみ代が形成される右利き用のトイレットペーパ１を例示したが、これに限定されず、例えば、切取り線の傾斜方向を反対として、図１の右側につまみ代が形成される左利き用のトイレットペーパとしてもよい。
【００３０】
なお、参考例としては、例えば、図１４に示すように、切取り線３を、帯状ペーパ２の横幅方向に沿って水平に延びるノコ歯状のミシン目２５から構成した形態を例示することができる。
【産業上の利用可能性】
【００３１】
ロール状のトイレットペーパとして好適に利用される。
【図面の簡単な説明】
【００３２】
【図１】実施例に係るトイレットペーパの使用状態を示す斜視図である。
【図２】帯状ペーパの正面図である。
【図３】上記トイレットペーパの切取り作用を説明するための斜視図である。
【図４】切抜き部の他の形態を説明するための説明図である。
【図５】切抜き部の更に他の形態を説明するための説明図である。
【図６】切抜き部の更に他の形態を説明するための説明図である。
【図７】切抜き部の更に他の形態を説明するための説明図である。
【図８】切抜き部の更に他の形態を説明するための説明図である。
【図９】切取り線の他の形態を説明するための説明図である。
【図１０】切取り線の更に他の形態を説明するための説明図である。
【図１１】切抜き部の更に他の形態を説明するための説明図である。
【図１２】切抜き部の更に他の形態を説明するための説明図である。
【図１３】切取り線の更に他の形態を説明するための説明図である。
【図１４】参考例に係る切取り線を説明するための説明図である。
【図１５】従来のトイレットペーパの切取り作用を説明するための斜視図である。
【符号の説明】
【００３３】
１；トイレットペーパ、２；帯状ペーパ、３，３’；切取り線、５，９，１０，１１，１２；切抜き部、７；つまみ代、１３；帯状着色部、１４；ドット状着色部、１７，１８２２，２３；ミシン目、ａ；切取り線の傾斜角度、ｃ；切取り線の傾斜方向。
【図１】
0003140786.tif 000003
【図２】
0003140786.tif 000004
【図３】
0003140786.tif 000005
【図４】
0003140786.tif 000006
【図５】
0003140786.tif 000007
【図６】
0003140786.tif 000008
【図７】
0003140786.tif 000009
【図８】
0003140786.tif 000010
【図９】
0003140786.tif 000011
【図１０】
0003140786.tif 000012
【図１１】
0003140786.tif 000013
【図１２】
0003140786.tif 000014
【図１３】
0003140786.tif 000015
【図１４】
0003140786.tif 000016
【図１５】
0003140786.tif 000017